(57)【要約】【課題】双方向通信インタフェース装置を用いた映像表示装置、情報再生方法及び情報再生装置を提供する。【解決手段】実施形態において、情報再生装置は、受信手段と、出力手段と、検出手段と、制御手段と、を具備する。受信手段は、ソース機器から双方向インタフェースを介して入力される映像及び音声の少なくとも一方を受信する。出力手段は、受信手段が受信した音声を、双方向インタフェースを介して外部音声出力機器に出力する。検出手段は、ソース機器と外部音声出力機器との間の双方向インタフェースによる接続を検出する。制御手段は、前記検出手段がソース機器と外部音声出力機器との接続を検出した場合、前記出力手段から外部音声出力機器への音声の出力を停止する。【選択図】図１
2013026859.tif 000002
【特許請求の範囲】
【請求項１】
ソース機器から双方向インタフェースを介して入力される映像及び音声の少なくとも一方を受信する受信手段と、
前記受信手段が受信した音声を、双方向インタフェースを介して外部音声出力機器に出力する出力手段と、
ソース機器と外部音声出力機器との間の双方向インタフェースによる接続を検出する検出手段と、
前記検出手段がソース機器と外部音声出力機器との接続を検出した場合、前記出力手段から外部音声出力機器への音声の出力を停止する制御手段と、
を具備する情報再生装置。
【請求項２】
前記双方向インタフェースは、ＨＤＭＩ（ハイディフィニションデジタルメディアインタフェース）規格に準拠する請求項１記載の情報再生装置。
【請求項３】
前記外部音声出力機器は、前記再生手段が含む音声再生機構と独立した音声再生機構を含む請求項１または２記載の情報再生装置。
【請求項４】
前記再生手段は、ソース機器と外部音声出力機器との接続を検出した場合、ソース機器から外部音声出力機器への音声情報の供給を優先する設定を受け付ける請求項１〜３のいずれかに記載の情報再生装置。
【請求項５】
出力装置から供給される映像情報を再生する映像再生部と、
出力装置から供給される音声情報を再生する音声再生部と、
出力装置から外部音声再生装置への双方向インタフェース装置による音声情報の供給を検出する検出部と、
前記検出部が双方向インタフェース装置による出力装置から外部音声再生装置へ音声情報の供給を検出した場合、前記音声再生部による音声情報の再生を停止する制御部と、
を具備する映像表示装置。
【請求項６】
前記双方向インタフェースは、ＨＤＭＩ（ハイディフィニションデジタルメディアインタフェース）規格に準拠する請求項５記載の映像表示装置。
【請求項７】
前記制御部は、前記検出部が出力装置と外部音声再生装置との接続を検出した場合、出力装置から外部音声再生装置への音声情報の供給を優先する設定を受け付ける請求項５または６記載の映像表示装置。
【請求項８】
映像信号及び音声信号を出力する出力装置と、映像信号及び音声信号を再生する再生装置と、少なくとも音声信号を再生する外部再生装置と、前記出力装置、前記再生装置及び前記外部再生装置を相互に接続する双方向インタフェースを少なくとも含む情報再生システムにおいて、
出力装置への外部再生装置の接続を検出し、
再生装置にて映像信号を再生し、
外部再生装置にて、音声信号を再生する情報再生方法。
【請求項９】
前記双方向インタフェースは、ＨＤＭＩ（ハイディフィニションデジタルメディアインタフェース）規格に準拠する請求項８記載の情報再生方法。
【発明の詳細な説明】
【技術分野】
【０００１】
本発明の実施の形態は、双方向通信インタフェース装置により接続する映像表示装置、情報再生方法及び情報再生装置に関する。
【背景技術】
【０００２】
双方向通信インタフェース装置として、ＨＤＭＩ（High-definition Digital Media Interface）、等が広く利用されている。
【０００３】
また、ＨＤＭＩを用いる接続においても、後に制定されたＨＤＭＩ−ＣＥＣ（ＨＤＭＩ−Consumer Electronics Control，バージョン１．２で定義）ラインに続き、ＡＲＣ（Audio Return Channel，バージョン１．４で定義）ラインや、イーサネット（登録商標）／Ethernet（登録商標）を経由した制御信号の受け渡しが可能なＨＥＣ（HDMI Ethernet Channel，バージョン１．４で定義）等が制定されている。
【先行技術文献】
【特許文献】
【０００４】
【特許文献１】特開２０１０−１０３６３９号公報
【発明の概要】
【発明が解決しようとする課題】
【０００５】
映像（Video）及びオーディオ（Audio／音声）を再生する場合、オーディオ（音声）については、例えばＡＶ（Audio（オーディオ）Visual（ビジュアル））アンプ及びそのＡＶアンプと接続したスピーカを用い、より高い品位のオーディオ（音声）を再生しようとする要求がある。
【０００６】
反面、ＨＤＭＩ規格に準拠したＨＤＭＩケーブルを用いる映像信号及びオーディオ信号の伝送においては、ＣＥＣ（Consumer Electronics Control）ラインの規格上、ＡＲＣ（Audio Return Channel）ラインを検出した場合に、オーディオ信号は、ＡＲＣ経由（テレビ装置側の再生能力により規定されるオーディオ信号）の伝送となる。
【０００７】
すなわち、現行のＨＤＭＩ規格においては、オーディオ信号用の別のＨＤＭＩケーブルを用意した場合であっても、ＡＶアンプが再生するオーディオ信号の品位はＡＲＣラインを経由するテレビ装置側で再生した品位となる。
【０００８】
本発明は、双方向通信インタフェース装置を用いた映像表示装置、情報再生方法及び情報再生装置を提供するものである。
【課題を解決するための手段】
【０００９】
実施形態によれば、情報再生装置は、受信手段と、出力手段と、検出手段と、制御手段と、を具備する。受信手段は、ソース機器から双方向インタフェースを介して入力される映像及び音声の少なくとも一方を受信する。出力手段は、受信手段が受信した音声を、双方向インタフェースを介して外部音声出力機器に出力する。検出手段は、ソース機器と外部音声出力機器との間の双方向インタフェースによる接続を検出する。制御手段は、前記検出手段がソース機器と外部音声出力機器との接続を検出した場合、前記出力手段から外部音声出力機器への音声の出力を停止する。
【図面の簡単な説明】
【００１０】
【図１】実施形態を適用する映像再生装置と周辺の装置の接続の一例を示す概略図。
【図２】実施形態を適用する映像再生装置と周辺の装置の接続の一例を示す概略図。
【図３】実施形態を適用する映像再生装置と周辺の装置の接続の一例を示す概略図。
【図４】実施形態を適用する映像再生装置、記録装置及びＡＶアンプ間の制御コマンドの一例を示す概略図。
【図５】実施形態を適用する入力関連付けデータベースの一例を示す概略図。
【図６】実施形態を適用する入力関連付けデータベースに従う物理アドレスの一例を示す概略図。
【図７】実施形態を適用する入力関連付けデータベースの一例を示す概略図。
【図８】実施形態を適用する入力関連付けデータベースに従う物理アドレスの一例を示す概略図。
【図９Ａ】実施形態を適用する入力切換のインタフェース画面表示の一例を示す概略図。
【図９Ｂ】実施形態を適用する入力切換のインタフェース画面表示の一例を示す概略図。
【図１０】実施形態を適用する記録装置の一例を示す概略図。
【図１１】実施形態を適用する映像再生装置の一例を示す概略図。
【発明を実施するための形態】
【００１１】
以下、実施の形態について図面を参照して説明する。
【００１２】
図１に示す情報再生システム１は、双方向通信インタフェース装置、例えばＨＤＭＩ（High-definition Digital Media Interface）に準拠したＨＤＭＩケーブルにより接続される映像再生装置（テレビ装置）１０１、録画再生装置（レコーダ）２０１及びＡＶ（Audio（オーディオ）Visual（ビジュアル））アンプ装置３０１を接続する接続する一例を示す。なお、テレビ装置（映像再生装置）１０１は、例えば記録装置を一体に有する記録再生装置一体型あるいは記録装置を一体的に接続できるディスプレイ装置であってもよい。また、レコーダ（録画再生装置）２０１は、例えばプログラム／コンテンツの再生に利用されるプレーヤ装置（情報再生装置）であってもよい。なお、図１に示す情報再生システムにおいては、ＡＶアンプ装置３０１には、プレーヤ４０１が接続された例を示す。また、同システムにおいては、２台目のレコーダ（第２のレコーダ装置）５０１が、テレビ装置１０１またはＡＶアンプ装置３０１のいずれかと接続する例を示す。
【００１３】
なお、テレビ装置（映像情報音声情報再生装置）１０１は、シンク機器と称され、レコーダ（録画再生装置／音声情報出力装置）２０１は、シンク機器に対してソース機器と称される。また、ＡＶアンプ装置３０１は、リピータ機器あるいは外部音声出力機器、もしくはＡＶシステム（ＡＶコントローラ）と称され、例えば複数のセットのスピーカが接続され、ユーザが切り換え可能である場合等を含む。
【００１４】
なお、ＨＤＭＩ−ＣＥＣ規格は、双方向インタフェースであり、ＨＤＭＩケーブルは、方向性（両端のコネクタを接続する際の規則）を持たない。反面、個々の装置において、ポート（ＨＤＭＩケーブルと接続するコネクタ）から入力され、あるいはポート（コネクタ）へ出力される信号については、送信側（出力部）及び受信側（入力部）、として、それぞれ、機能（役割）が分担される。
【００１５】
このため、上述したテレビ装置１０１、レコーダ２０１、ＡＶアンプ装置３０１、プレーヤ４０１及びレコーダ（２）５０１のそれぞれにおけるＨＤＭＩポートは、より具体的には、    
テレビ装置１０１：    
全てのＨＤＭＩポート  →  ＨＤＭＩ入力    
レコーダ２０１：    
ケーブル１１が接続するＨＤＭＩポート  →  ＨＤＭＩ出力１    
ケーブル１３が接続するＨＤＭＩポート  →  ＨＤＭＩ出力２    
ＡＶアンプ装置３０１：    
ケーブル１２が接続するＨＤＭＩポート  →  ＨＤＭＩ出力    
ケーブル１３が接続するＨＤＭＩポート  →  ＨＤＭＩ入力１    
ケーブル１４が接続するＨＤＭＩポート  →  ＨＤＭＩ入力３    
ケーブル１５が接続するＨＤＭＩポート  →  ＨＤＭＩ入力２    
プレーヤ４０１：    
ケーブル１４が接続するＨＤＭＩポート  →  ＨＤＭＩ出力    
レコーダ（２）５０１：    
テレビ装置１０１と接続するＨＤＭＩポート  →  ＨＤＭＩ出力１    
ＡＶアンプ３０１と接続するＨＤＭＩポート  →  ＨＤＭＩ出力２    
のように、「入力（受信）」と「出力（送信）」とが区別（分担）されている。
【００１６】
なお、上述した各装置に組み込まれるさまざまな要素／構成は、以下に説明する例に限らずハードウエアで実現するものであってもよいし、マイクロコンピュータ（処理装置，ＣＰＵ）等を用いてソフトウエアで実現するものであってもよい。また、上述した各装置は、所定の規格、例えばビデオ（Video，動画）については、例えばＭＰＥＧ（Moving Picture Experts Group）−１，−２，−４（Ｈ．２６４／ＡＶＣ）、オーディオ（Audio，音声／音楽）については、例えばＭＰ３（MPEG Audio layer-3）、ＡＣ３（Audio Code number 3）、リニアＰＣＭ（Pulse Coded Module）、静止画については、例えばＪＰＥＧ（Joint Photographic Experts Group）、等に従って符号化されたデジタル情報（コンテンツ／プログラム／タイトル（番組））を処理することができるものとする。
【００１７】
テレビ装置１０１（物理アドレス［０．０．０．０］）は、ＨＤＭＩケーブルと接続する複数のＨＤＭＩポート（入出力部）及びＨＤＭＩに準拠したＨＤＭＩ処理部を、少なくとも含む。なお、ＨＤＭＩポートは、第１〜第５の５つとして説明する。
【００１８】
レコーダ装置２０１（物理アドレス［２．０．０．０］）は、ＨＤＭＩケーブルと接続する複数のＨＤＭＩポート（入出力部）及びＨＤＭＩに準拠したＨＤＭＩ処理部を、少なくとも含む。なお、ＨＤＭＩポートは、第１及び第２の２つとして説明する。
【００１９】
ＡＶアンプ装置３０１（物理アドレス［１．０．０．０］）は、ＨＤＭＩケーブルと接続する複数のＨＤＭＩポート（入出力部）及びＨＤＭＩに準拠したＨＤＭＩ処理部を、少なくとも含む。なお、ＨＤＭＩポートは、第１〜第４の４つとして説明する。
【００２０】
テレビ装置１０１、レコーダ装置２０１及びＡＶアンプ装置３０１は、第１のＨＤＭＩケーブル１１により、テレビ装置１０１のＨＤＭＩポートの１つとレコーダ装置２０１のＨＤＭＩポートの１つが、第２のＨＤＭＩケーブル１２により、テレビ装置１０１のＨＤＭＩポートの１つとＡＶアンプ装置３０１のＨＤＭＩポートの１つが、第３のＨＤＭＩケーブル１３により、レコーダ装置２０１のＨＤＭＩポートの１つとＡＶアンプ装置３０１のＨＤＭＩポートの１つが、相互に接続する。また、プレーヤ装置４０１（物理アドレス［１．１．０．０］）とＡＶアンプ装置３０１は、第４のＨＤＭＩケーブル１４により、第２のレコーダ装置（レコーダ装置２）５０１（物理アドレス［１．２．０．０］）とテレビ装置１０１またはＡＶアンプ装置３０１が、第５のＨＤＭＩケーブル１５により、それぞれ接続する。なお、物理アドレスは、ＨＤＭＩ接続上の対象機器毎の住所にあたることはいうまでもない。
【００２１】
図１に示す接続例は、図２及び図３に一例を示す接続と比較して、レコーダ装置２０１とテレビ装置１０１とを接続するＨＤＭＩケーブル１１（第１の接続）に加え、レコーダ装置２０１とＡＶアンプ装置３０１とを接続するＨＤＭＩケーブル１３による第２の接続を含む。なお、第２の接続は、レコーダ装置２０１とテレビ装置１０１とを接続する第１の接続と独立に、映像及びオーディオ信号（図１の例は、ＡＶアンプ装置との接続であるからオーディオ信号）を伝送可能である。
【００２２】
すなわち、現行のＨＤＭＩ規格においては、ＣＥＣ（Consumer Electronics Control）ラインの規格上、ＡＲＣ（Audio Return Channel）ラインを検出した場合に、オーディオ信号は、ＡＲＣ経由（テレビ装置側の再生能力により規定されるオーディオ信号）の伝送となる。このため、ＡＶアンプ装置３０１が再生できるオーディオ信号の品位がテレビ装置１０１が再生できるオーディオ信号の品位よりも高い場合においても、ＡＶアンプ装置３０１が再生するオーディオ信号は、ＡＲＣラインを経由するテレビ装置１０１側で再生した品位となる。
【００２３】
すなわち、図１に示す接続において、（ユーザによる）テレビ装置１０１の画面に表示されるＵＩ（User Interface）表示のうちの入力切換表示の選択及び決定の入力、もしくはリモコン（リモートコントローラ）端末の入力切換キーの操作により、視聴対象機器（コンテンツ供給元）として、ＨＤＭＩケーブル１２により接続されているレコーダ装置２０１が選択されると、    
ＴＶ  →  ［Broadcast］  ＜Routing Change＞  ［＊．＊．＊．＊］    
（［＊．＊．＊．＊］は、特定の機器を指定しない物理アドレス）がＣＥＣラインに供給（送信）され、    
ＴＶ  →  ［Broadcast］  ＜Set Stream Path＞  ［２．０．０．０］    
により、テレビ装置１０１が予め記憶している接続機器リストから（図１において、物理アドレス［２．０．０．０］が与えられている）レコーダ装置２０１が選択される。
【００２４】
選択されたレコーダ装置２０１（実際には、ＨＤＭＩで接続した機器のうち物理アドレス［２．０．０．０］で特定される機器）は、    
レコーダ  →  ［Broadcast］  ＜Active Source＞  ［２．０．０．０］    
が返信される。
【００２５】
なお、ＨＤＭＩ規格に従い、ＨＤＭＩ規格においてソース（Source）機器であるレコーダ装置２０１においては、通常、装置の電源がオンされた際に、シンク（Sink）機器であるテレビ装置１０１から（テレビ装置１０１の）ＥＤＩＤ（Extended Display Identification Data）に記録されている（テレビ装置１０１の）物理アドレスを読み込み、    
＜Report Physical Address＞  コマンドにて、入力連動を、ＣＥＣラインに通知する。
【００２６】
これにより、上記コマンドを受信したＡＶアンプ装置３０１においても、パラメータの物理アドレスに応じて自らのＡＶセレクタを変化させる（図１の接続では、映像信号については、テレビ装置１０１と接続するＨＤＭＩケーブル１２及び対応するＨＤＭＩポートを選択し、オーディオ信号については、レコーダ装置２０１と接続するＨＤＭＩケーブル１３及び対応するポートを選択する）。しかしながら、現状のＣＥＣの規格では、テレビ装置１０１において、ＡＶアンプ装置３０１へオーディオ信号を入力する経路としては、ＡＲＣ（ＨＤＭＩケーブル１３）経由が選択されることになる。
【００２７】
このことから、図４に一例を示すように、ＡＶアンプ装置３０１へのオーディオ信号の入力端子（ＨＤＭＩポート）が切り換えるコマンドがあり、シンク機器であるテレビ装置１０１はＡＶアンプ装置３０１へのオーディオ信号の入力を切換えるコマンドを通知してＣＥＣ規格に従うＡＲＣの選択を抑止することで、ＡＶアンプ装置３０１が再生できるオーディオ信号の品位がテレビ装置１０１が再生できるオーディオ信号の品位よりも高い場合、等において、ＡＶアンプ装置３０１が再生するオーディオ信号を、レコーダ装置２０１による出力時の品位を維持したオーディオ信号とすることができる。
【００２８】
詳細には、（ユーザによる）テレビ装置１０１の画面に表示されるＵＩ（User Interface）表示のうちの入力切換表示の選択及び決定の入力、もしくはリモコン端末の入力切換キーの操作により、ＨＤＭＩケーブル１２によって視聴対象機器（コンテンツ供給元）としてテレビ装置１０１と接続されているレコーダ装置２０１が選択されると、テレビ装置１０１が、レコーダ装置２０１に、    
＜Routing Change＞  ［＊．＊．＊．＊］を［Broadcast］する［０１１］。
【００２９】
同様に、テレビ装置１０１が、ＡＶ（オーディオ）アンプ３０１に、    
＜Routing Change＞  ［＊．＊．＊．＊］を［Broadcast］する［０２１］。
【００３０】
なお、図４において上述した［０１１］と［０２１］に示した『＜Routing Change＞  ［＊．＊．＊．＊］』は、同報（同時送信）である（図４は、便宜上送信相手先毎に区分して表記したものであり、図示するような時系列を伴うものではない）。
【００３１】
また、テレビ装置１０１は、レコーダ装置２０１に、    
＜Set Stream Path＞  ［２．０．０．０］を［Broadcast］する［０１２］。
【００３２】
なお、レコーダ装置２０１は、テレビ装置１０１及びＡＶアンプ装置３０１に、    
＜Active Source＞  ［２．０．０．０］を［Broadcast］する［０３１］、［０３２］。なお、上述した［０１１］と［０２１］に示した『＜Routing Change＞  ［＊．＊．＊．＊］』及び［０３１］で示した『＜Active Source＞  ［２．０．０．０］を［Broadcast］する』は、便宜上送信相手先毎に区分して表記したものであり、図示するような時系列を伴うものではない）。
【００３３】
また、テレビ装置１０１は、    
＜User Control Pressed＞  ［Select A/V Input Function］    
を、ＡＶアンプ装置３０１に送信する［０２２］。
【００３４】
なお、ＡＶアンプ装置３０１におけるオーディオ入力端子については、『＜User Control Pressed＞  ［Select A/V Input Function］』に付属する『入力「Ｘ」に切り換える』において、「Ｘ」に入る数字をパラメータとして、『［Select A/V Input Function］［Ｘ］』のＨＤＭＩ−ＣＥＣコマンドを、ＡＶアンプ装置３０１に対して発行する。
【００３５】
このとき、ＨＤＭＩ−ＣＥＣコマンド『入力「Ｘ」に切り換える』に付加される物理アドレスの先頭のデータ（この例では、レコーダ装置２０１の物理アドレス［２．０．０．０］から“２”である）に基づいて、新しく視聴する機器（コンテンツ供給元）が接続されているテレビ装置１０１のＨＤＭＩポート（例えば４ビットの“０Ｘ００〜０ＸＦＦ”のいずれかで表示される）番号を判定する。
【００３６】
詳細には、図５により後段に一例を示すテレビ装置１０１が保持している入力関連付けデータベースを取得し、物理アドレスから判定したテレビ装置１０１のＨＤＭＩ入力端子（ＨＤＭＩポート番号）を元に、入力関連付けデータベースからＡＶアンプ装置３０１の入力端子（ＨＤＭＩポート番号）を取得する。
【００３７】
これにより、ＡＶアンプ装置３０１とテレビ装置１０１を結ぶＨＤＭＩケーブル（図１の例ではケーブル１２）のＡＲＣ（ＣＥＣ規格に従うオーディオ信号の経路の自動選択）をキャンセルできる。すなわち、図５に示す例において、ＨＤＭＩ２の項目を「入力２」とすることで、テレビ装置１０１の入力がＨＤＭＩ２に切り換えられた場合、ＡＶアンプ装置３０１の入力も「入力２」に切り換わるため、ユーザの期待した経路（オーディオはテレビ装置１０１による再生処理と異なるレコーダ装置２０１による再生処理）で、映像／音声（オーディオ）が出力される。なお、変更された設定（入力関連づけデータベース）は、主電源がオフされた場合でもデータが保持される所定の記憶領域、例えばＮＶＲＡＭ（不揮発性メモリ）等に、記憶される。図６に、変更されたＨＤＭＩポート（オーディオ信号を入力する機器の物理アドレスと映像信号を入力する機器の物理アドレス）の組み合わせの例を示す。
【００３８】
また、図５における「入力１」、「入力２」等の表記は、ＨＤＭＩポートが複数である場合の識別を示すのみであり、実際のポート番号あるいはテレビ装置１０１に表示される接続名とは異なる。なお、表記は、ポート（及び接続に供するケーブル／構成される信号経路）の識別が可能であれば、任意の形式を用いることができる。
【００３９】
図７に、テレビ装置が保持する入力関連付けデータベースの別の例を示す。
【００４０】
図７において、「オート」と表示した部分（ポート）は、ＡＶアンプ装置３０１の入力切換連携動作（ポートの割り当て）が変更されていないこと、すなわちＡＶアンプ装置３０１において予め決められている入力切換仕様の通りの動作であることを示す。
【００４１】
詳細には、ＡＶアンプ装置３０１の入力切換において、「オート」以外の値（ポート）を設定し、その入力（ポート）へテレビ装置１０１の入力を切換えると、ＡＶアンプ装置３０１の入力は、指定された入力へ切換られる。反面、任意のタイミングで、テレビ装置１０１の入力をＡＶアンプ装置３０１の入力（図７の接続例の場合は「ＨＤＭＩ１」）へ切換えると、図４で説明した『＜Routing Change＞  ［＊．＊．＊．＊］』が有効であるため、強制的に切換られた入力２を選択した状態となってしまう。すなわち、『＜Routing Change＞  ［＊．＊．＊．＊］』というコマンドは、ＡＶアンプ装置を最終的に（ラストへ）切換える規則を含むため、上述のように、入力切換が固定されることになる。なお、（１）入力切換は行わず、機器選択によって直接視聴機器を選択する、あるいは、（２）ＡＶアンプ装置３０１と接続される入力（ポート）の外部入力設定（図７の例の場合は、ＨＤＭＩ１）の設定値をオート以外に設定する（例えば「入力１」に設定してプレーヤ装置４０１（物理アドレス［１．１．０．０］）に切換える）ことで、上述したような入力切換が固定されることを抑止できる。
【００４２】
図８に、図４及び図５（または図７）に説明した入力切換連携動作（ＨＤＭＩポートの割り当て）の変更について、ソフトウエア的に示す。
【００４３】
始めに、ＨＤＭＩにより接続された機器の物理アドレス（映像／音声供給元（視聴対象機器））の変化を検出する［１１］。
【００４４】
変化を検出した新しい物理アドレスに基づいて、テレビ装置のＨＤＭＩ入力端子を判定する［１２］。
【００４５】
入力関連づけデータベースから（入力関連づけデータベースを参照して）入力関連づけデータベースを取得する［１３］。
【００４６】
以下、取得した入力関連づけデータベースにおいて、ＡＶアンプ装置の入力端子の切り換えが指示されているか否か（入力切り換え有り／「オート」が設定されていない）、を判定し［１４］、切り換えが指示されている（有りの）場合［１４−ＹＥＳ］、入力関連づけデータベースに従い、ＡＶアンプ装置の入力端子が切り換えられたことに対応するＣＥＣコマンド『＜User Control Pressed＞  ［２．０．０．０］  ［Select A/V Input Function］  ［Ｘ］』を送信する［１５］。
【００４７】
これに対し、切り換えが指示されていない（「オート」が設定されている）場合［１４−ＮＯ］、ＡＶアンプ装置の入力端子に対するＨＤＭＩ接続は、そのまま維持される。
【００４８】
また、上述のＣＥＣコマンドは、同一ベンダー内においてのみ利用可能となるが、ＨＤＭＩ−ＣＥＣ規格で規定されているベンダーコマンド（Vendor Specific Commands）として用意されてもよい。
【００４９】
なお、図４〜図８により説明した入力切換連携動作（ＨＤＭＩポートの割り当て）の変更は、図９Ａ及び図９Ｂに一例を示す設定画面を用いるＵＩ表示により、適用の有無（変更する／しない）を、任意に設定できる。画面表示１１１が表示された状態で、入力切換表示の選択及び決定の入力、もしくはリモコン端末の入力切換キーの操作により、入力切換連携動作（ＨＤＭＩポートの割り当て）の変更が指示されると、図９Ａが示すように、画面表示１１１が表示する視聴対象の供給元すなわち視聴対象機器の接続を変更する接続変更メニュー１１６が表示される。なお、テレビ装置１０１（及びレコーダ装置２０１）が地上デジタル放送に対応している場合、画面表示１１１は、リモコン端末の「青」ボタン１１２、「赤」ボタン１１３、「緑」ボタン１１４、「黄」ボタン１１５の４つに対応する指示を受け付け可能であり、いずれかのボタンに対応する指示として、上述の入力切換連携動作（ＨＤＭＩポートの割り当て）の変更のための専用処理名を与えることもできる。
【００５０】
接続変更メニュー１１６は、例えば第１〜第５のＨＤＭＩ接続１２１〜１２５及び他の接続（ビデオ１〜３を例示）１２６〜１２９と、現在視聴中のコンテンツ（番組）の供給元である放送局のＣＨ（チャンネル）名１２１を含む。なお、接続変更メニュー１１６表示における［ＨＤＭＩ］２表示１２３は、視聴対象（コンテンツ／プログラム／タイトル（番組））の供給元すなわち視聴対象機器の接続を変更する接続変更メニューの対象であることを報知する［接続変更対象機種表示］１２３ａを含む。
【００５１】
［接続変更対象機種表示］１２３ａが、例えばリモコン端末の操作によるカーソル移動及びフォーカス（決定入力）等により選択されると、図９Ｂが示すように、画面表示１１１に、接続変更対象機器リスト１１７が表示される。なお、図９Ｂが示す例は、接続変更対象機器としてＨＤＭＩ接続されていることが、既にテレビ装置１０１において確認されている（図１のシステム内の）レコーダ装置（２）５０１に相当するレコーダ１表示１３１、（同）レコーダ装置２０１に相当するレコーダ２表示１３２、及びＡＶアンプ装置３０１に相当するアンプ表示１３３、等を表示する。
【００５２】
以下、例えばレコーダ装置２０１に対応するレコーダ２表示１３２が、例えばリモコン端末の操作によるカーソル移動及びフォーカス（決定入力）等により選択されると、図７もしくは図５により例示する（テレビ装置１０１側の）個々のＨＤＭＩポートとＨＤＭＩケーブルにより接続されている機器（視聴機器）における接続変更（ＡＶシステム外部入力設定）の有無（接続変更が設定されている場合、その接続先（切り換えられている入力端子名）が表示される。
【００５３】
なお、［接続変更対象機種］が存在しない（図１に示すレコーダ装置２０１が２以上のＨＤＭＩポートを持たない）場合、テレビ装置１０１は、ユーザのリモコン端末の操作によるユーザ指示／入力があった場合であっても、図９Ａが示す接続変更メニュー１１６を表示しないことが好ましい（表示しなくても、ユーザによるコンテンツ／プログラム／タイトル（番組）の視聴のための通常の操作には影響がない）。
【００５４】
また、図９Ａ及び図９Ｂが示す画面表示１１１は、テレビ装置１０１における接続変更メニューの起動と表示例を示すが、レコーダ装置２０１が同一ベンダー（Vendor，供給元）により製造されている場合、レコーダ装置２０１側においても接続変更メニューの起動と表示が可能であり、レコーダ装置２０１に付属するリモコン端末（リモートコントローラ）を用いて接続変更メニューを起動し、変更することができる。なお、ＡＶアンプ装置３０１が同一ベンダーにおいて用意された場合、例えばＡＶアンプ装置３０１に付属するリモコン端末の操作によるユーザ指示／入力によりテレビ装置１０１及びレコーダ装置２０１を、例えば＜Wake Up／Wake on LAN＞により起動して上述の接続変更（ＡＶシステム外部入力設定）を実行することも可能である。
【００５５】
図１０は、図１に示した映像再生装置として利用可能なレコーダの構成の一例を示す。
【００５６】
レコーダ（録画再生装置）６０１は、チューナ６０２、入力回路６０３、ＤＳＰ（デジタルシグナルプロセッサ）６０４、記録装置６０５、出力回路６０６、ユーザ操作入力部（リモコン信号受信回路）６０７、電源部６０８、及びＨＤＭＩ処理部６０９と接続するポート６８１（図１に示したＨＤＭＩ１／２に相当）を少なくとも含む。
【００５７】
チューナ６０２は、アンテナ端子６２１に接続されるアンテナまたは光ケーブル等を介して、録画対象の番組を放送するチャンネルを選局する。
【００５８】
入力端子６０３は、ビデオ（Viedo）入力端６３１およびオーディオ（Audio）入力端６３２を経由して入力されるビデオ（動画）信号およびオーディオ（音声）信号を、受けつける。
【００５９】
ＤＳＰ６０４は、主制御装置（ＣＰＵ）６４０、ネットワークコントローラ６４１、アナログ−デジタルコンバータ（ＡＤＣ）６４２、エンコーダ６４３、インタフェース６４４、デコーダ６４５、ユーザインタフェースグラフィック処理部（ＧＵＩ処理部）６４６、ビデオエンコーダ（ビデオ出力処理部）６４７、デジタル−アナログコンバータ（オーディオデコーダ（ＤＡＣ））６４８、ＥＰＧ（Electric Program Guide）処理部６４９等の要素を、少なくとも含む。なお、インタフェース６４４に、上述のＨＤＭＩ処理部６０９が接続されるが、ＨＤＭＩ処理部６０９は、ネットワークコントローラ６４１に接続されてもよい。
【００６０】
主制御装置（ＣＰＵ）６４０は、上述した各要素の動作、および電源部６０８の主電源（内部制御用２次回路を除く）のオン／オフを制御する。
【００６１】
ネットワークコントローラ６４１は、ＬＡＮ端子６９１を経由して、外部ネットワークから供給されるストリーム形式の番組を受信する。なお、ＬＡＮ端子６９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００６２】
アナログ−デジタルコンバータ（ＡＤＣ）６４２、アナログ入力されたビデオ信号およびオーディオ信号をデジタル信号に変換し、エンコーダ６４３に入力する。なお、チューナ６０２がデジタル放送を受信する場合には、チューナ６０２の出力は、そのままエンコーダ６４３に入力されることはいうまでもない。
【００６３】
エンコーダ６４３は、入力されたアナログ信号（ビデオ／オーディオ）をデジタル信号に変換（エンコード）する。なお、例えばＭＰＥＧ（Moving Picture Experts Group）−２あるいはＭＰＥＧ−４（Ｈ．２６４−ＡＶＣ））等に準拠した圧縮を伴う。
【００６４】
インタフェース６４４は、記録装置５との間のデータの受け渡し、あるいはリモコン信号受光回路６０７からの制御信号の入力に利用される。ＨＤＭＩ処理部６０９には、ＨＤＭＩ端子６８１を介して、例えば図１１に一例を示すテレビ受信装置（映像再生装置）７０１あるいは図１に示したＡＶアンプ装置３０１、もしくはハブが接続される。なお、ＡＶアンプ３０１には、図示しないが、例えばＤＶＤレコーダやＤＶＤプレーヤ等が接続される。また、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子６８１がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００６５】
デコーダ６４５は、ＭＰＥＧ−２あるいはＭＰＥＧ−４（Ｈ．２６４−ＡＶＣ））等に圧縮された番組を、デコードする。
【００６６】
ユーザインタフェースグラフィック処理部（ＧＵＩ処理部）６４６は、出力回路６０６を経由して映像出力端６６１とオーディオ出力端６６２に接続されるモニタ装置６６３に表示させるＧＵＩ（グラフィックインタフェース）画面表示を出力する。
【００６７】
ビデオエンコーダ（ビデオ出力処理部）６４７は、映像信号とＧＵＩ処理部６４６から出力されるＧＵＩ画面表示を必要に応じ合成し、映像出力端６６１に接続されるモニタ装置６６３が表示可能に、出力回路６０６に、出力映像信号を生成する。
【００６８】
デジタル−アナログコンバータ（オーディオデコーダ（ＤＡＣ））６４８は、出力回路６０６に、オーディオ出力端６６２に接続される外部スピーカ等が再生可能に、オーディオ信号を出力する。
【００６９】
ＥＰＧ処理部６４９は、例えばＢＳデジタル放送または地上デジタル放送において番組とともに送信されるＥＰＧデータもしくはＬＡＮ端子６９１を経由して外部から取得可能なＥＰＧデータを取得し、例えばＧＵＩ処理部６４６において番組の予約時に番組表を表示させるための日付、時間、チャンネル、番組長データとして保持する。なお、取得したＥＰＧデータは、図示しないメモリ装置あるいはＨＤＤ６５１の所定の領域に保存される。
【００７０】
記録装置６０５は、例えばＨＤＤ６５１またはディスクドライブ装置６５２を含み、ＨＤＤ６５１内のＨＤあるいはディスクドライブ装置６５２にセットされるＤＶＤ規格の光ディスクＤに対して番組を記録し、もしくは既に記録されている番組を再生する。なお、ディスクドライブ装置６５２に加え、例えば半導体メモリ（メモリカード）等に番組を記録し、あるいは既に記録されている番組を再生するリーダ／ライタ（図示しない）が用意されてもよい。
【００７１】
出力回路６０６は、映像出力端６６１およびオーディオ出力端６６２に接続される再生装置、例えばモニタ装置とスピーカ装置に、ビデオエンコーダ６４７からの映像信号とＤＡＣ６４８からのオーディオ信号を出力する。
【００７２】
リモコン信号受光回路６０７は、リモコン受光部６７１において受け付けたユーザ操作入力を、インタフェース６４４を経由して、主制御装置６４０に入力する。
【００７３】
電源部６０８は、主制御装置６４０の制御により主電源がオフ可能であり、図示しないタイマ部にセットされた予約時間が到来した時点で主電源をオンし、上述した各要素の動作を、動作可能状態に維持する。
【００７４】
図１１に、図１に示した映像再生装置として利用可能なテレビ受信装置の構成の一例を示す。
【００７５】
テレビ受信装置７１１は、映像信号（ビデオデータ）に対応する映像を表示する映像表示器７１３、例えばスピーカ等に代表される音声再生装置であって、音声出力（オーディオデータ）を再生する音声再生器７１５、ユーザからの制御指示（制御入力）信号を受け入れる操作部７１７、ユーザからのリモコン装置Ｒによる操作情報（制御入力）信号を受けつけるリモコン受信部７１９、および制御ブロック（制御部）７６０等を含む。なお、映像表示器（ディスプレイ装置）７１３は、例えば液晶パネル装置であって、付属する照明装置７２５からの照明光（バックライト）を選択的に透過することにより、映像を表示する。また、照明装置７２５は、点灯回路７２７により、周囲の明るさや、連続して点灯されている時間と非点灯時間との差すなわち照明装置７２５の温度に基づいて規定される所定の駆動電圧で点灯される。
【００７６】
制御部７６０は、ＣＰＵまたはＭＰＵ（Main Processing Unit）とよばれる主制御装置（主制御用大規模ＩＣ（ＬＳＩ））７６１を、含む。
【００７７】
制御部７６０（主制御装置７６１）は、操作部７１７からの操作入力、またはリモコン装置Ｒから送出された操作情報を受信部７１９により受信した（リモコン入力）制御信号、もしくはネットワーク接続部（通信インタフェース）７７３を介して外部から供給される情報およびデータに対応して、以下に説明する各部（要素）を、制御する。
【００７８】
制御部７６０はまた、主制御装置７６１が実行する制御プログラムを保持したＲＯＭ（Read Only Memory）７６２、主制御装置７６１の作業エリアを提供するＲＡＭ（Random Access Memory）７６３、各種の設定情報や制御情報ならびに上述のＨＤＭＩ接続において変更された入力切換連携仕様、あるいはネットワーク接続部７７３を介して外部から供給される情報および録画予約情報などのデータ等を保持する不揮発性メモリ（Non Volatility Memory，ＮＶＭ）７６４、およびＨＤＤ７６５を、含む。
【００７９】
なお、ＮＶＭ７６４は、ネットワーク接続部７７３を経由して取り込まれ、制御部７６０を経由してメッセージや解読されたスケジュール情報等も保持する。
【００８０】
制御部７６０には、半導体メモリであるカード状媒体（メモリカード）Ｍからの情報の読み出しとメモリカードＭへの情報の書き込みを可能とするカード＿ＩＦ７７１、ネットワーク接続部（通信＿ＩＦ）７７３、ＨＤＭＩ処理部７７４と接続するポート７８２（図１に示したＨＤＭＩ１〜５に相当）、光ディスクＤからの情報すなわち動画データやオーディオ（音声）データの読み出しと光ディスクへの情報の書き込みに用いられるディスクドライブ装置７７５、ＵＳＢ＿Ｉ／Ｆ、およびｉ．Ｌｉｎｋ＿Ｉ／Ｆ（インタフェース）７７７等の任意数のＩ／Ｆ（Interface，インタフェース）群が接続され、それぞれのインタフェースに適合する外部装置、あるいはハブ（拡張装置）もしくはネットワーク制御装置として機能する。
【００８１】
カード＿Ｉ／Ｆ７７１は、カードホルダ７７２に装着されるメモリカードＭから、映像および音声ファイルを読み込むことができ、また、メモリカードＭに、映像および音声ファイルを書き込むことができる。
【００８２】
通信＿Ｉ／Ｆ７７３は、ＬＡＮ端子（ポート）７８１と接続され、イーサネット規格に従い、外部装置、例えば図示しないが携帯端末装置やモバイルＰＣを介して、あるいはリモコン装置から供給される制御情報や動画データを受け入れる。なお、通信＿Ｉ／Ｆ７７３は、ＬＡＮ対応のハブ（Hub）が接続されることで、ＬＡＮ対応のＨＤＤ（ＮＡＳ（Network Attached Storage）ＨＤＤ）、ＰＣ、ＨＤＤ内蔵のＤＶＤレコーダ等の機器の接続が可能である。
【００８３】
ＨＤＭＩ処理部７７４には、ＨＤＭＩ端子７８２を介して、例えば図６に一例を示したレコーダ（映像再生装置）２０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子７８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００８４】
ディスクドライブ装置７７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器７１３に表示可能に出力する。
【００８５】
ＵＳＢ＿Ｉ／Ｆ７７６は、ＵＳＢポート７８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ７７６に対応する携帯電話、デジタルカメラ、メモリカードに対するカードリーダ／ライタも接続可能であることはいうまでもない。
【００８６】
ｉ．Ｌｉｎｋ＿Ｉ／Ｆ７７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【００８７】
なお、詳述しないが、個々のインタフェースに加えて、もしくは任意の１または複数のインタフェースに代えて、例えばＤＬＮＡ（登録商標））規格等に準拠したネットワークコントローラや、図示しないBluetooth（登録商標）／（ブルートゥース（登録商標））が用意され、それらを経由して、データの受け渡しが可能なレコーダ装置やＨＤＤ装置、もしくは携帯可能な端末装置が接続されてもよいことはいうまでもない。
【００８８】
制御部７６０は、タイマーコントローラ（時計部）７９０を含む。時計部９０は、時刻や、ユーザからの入力により設定される予約録画のための予約時刻（日時）と録画対象チャンネル等の情報を管理するとともに、その情報を保持可能である。なお、時計部７９０は、地上波デジタルチューナ７５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ７５２により受信するアナログアナログ放送の所定のチャンネルからも、毎日、所定の時間に時報を取得可能であることはいうまでもない。また、時計部７９０は、携帯端末装置から供給されるスケジューラ機能やメッセンジャ機能のための情報に対する計時部としても機能する。なお、時計部７９０は、スケジューラ機能およびメッセンジャ機能により規定される所定の時刻において、電源部７９１による、商用電源に対する電源のオン／オフ（通電）を制御できることはいうまでもない。すなわち、コンセントが抜かれている等の物理的に通電が困難な状況下以外においては、映像表示器７１３や信号処理部７４７あるいはＨＤＤ等の電力消費の比較的大きな要素を除く、制御部７６０等への２次電源（ＤＣ（直流）３１Ｖ、あるいは２４Ｖもしくは５Ｖ等）は、通常確保されており、予め規定された時刻に映像表示器７１３や信号処理部７４７あるいはＨＤＤ７６５等が起動されることは、いうまでもない。
【００８９】
以上説明したように、上述の実施形態を適用することで、ＨＤＭＩを用いて接続される機器相互間において、ユーザの期待する切換動作が実現できる。すなわち、ＨＤＭＩ−ＣＥＣ規格に準拠する連携動作が優先されることに起因して、ユーザの期待しない動作が生じることが抑止される。
【００９０】
また、ユーザが希望する品位のオーディオ再生、例えば［Dolby True （ドルビートゥルー）ＨＤ］，［ＤＴＳ（Digital Theater System）ＨＤ］，［Master Audio］等によるオーディオ信号の再生が可能となる。
【００９１】
さらに、映像信号はテレビ装置により、オーディオ信号はＡＶアンプ装置により、それぞれ独立に再生できる設定を選択できるため、例えば映像信号が３Ｄ（スリーディ＜立体映像、と解される＞）信号である場合において、ＡＶアンプ装置においてオーディオ信号のみを再生する再生経路が実現できる。
【００９２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９３】
１…情報再生システム、１１〜１５…ＨＤＭＩケーブル、１０１（７０１）…映像表示装置（テレビ装置）、２０１（６０１）…録画再生装置（レコーダ）、３０１…ＡＶアンプ装置。
【図１】
2013026859.tif 000003
【図２】
2013026859.tif 000004
【図３】
2013026859.tif 000005
【図４】
2013026859.tif 000006
【図５】
2013026859.tif 000007
【図６】
2013026859.tif 000008
【図７】
2013026859.tif 000009
【図８】
2013026859.tif 000010
【図９Ａ】
2013026859.tif 000011
【図９Ｂ】
2013026859.tif 000012
【図１０】
2013026859.tif 000013
【図１１】
2013026859.tif 000014
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
ソース機器から双方向インタフェースを介して入力される音声信号を受信する受信手段と、
前記受信手段が受信した前記音声信号を、双方向インタフェースを介して外部音声出力機器に出力する出力手段と、
前記ソース機器と前記外部音声出力機器との間の双方向インタフェースによる接続を、切換指示入力の検出により検出する検出手段と、
前記検出手段が前記ソース機器と前記外部音声出力機器との接続を検出した場合、前記出力手段から前記外部音声出力機器への前記音声信号の出力を停止する制御手段と、
を具備する情報再生装置。
【請求項２】
前記双方向インタフェースは、ＨＤＭＩ（ハイディフィニションデジタルメディアインタフェース）規格に準拠する請求項１記載の情報再生装置。
【請求項３】
前記外部音声出力機器は、前記受信手段が含む音声再生機構と独立した音声再生機構を含む請求項１または２記載の情報再生装置。
【請求項４】
前記受信手段は、前記検出手段による前記切換指示入力の検出により前記ソース機器と前記外部音声出力機器との接続を検出した場合、入力関連付けデータベースが示す設定に従い前記ソース機器から前記外部音声出力機器への音声情報の供給を優先する設定を受け付ける請求項１〜３のいずれかに記載の情報再生装置。
【請求項５】
出力装置から供給される映像情報を再生する映像再生部と、
前記出力装置から供給される音声情報を再生する音声再生部と、
前記出力装置から外部音声再生装置への双方向インタフェース装置による前記音声情報の供給を、切換指示の入力の検出により検出する検出部と、
前記検出部が前記双方向インタフェース装置による前記出力装置から前記外部音声再生装置へ前記音声情報の供給を検出した場合、前記音声再生部による前記音声情報の再生を停止する制御部と、
を具備する映像表示装置。
【請求項６】
前記双方向インタフェースは、ＨＤＭＩ（ハイディフィニションデジタルメディアインタフェース）規格に準拠する請求項５記載の映像表示装置。
【請求項７】
前記制御部は、前記検出部が前記出力装置と前記外部音声再生装置との接続を検出した場合、前記出力装置から前記外部音声再生装置への前記音声情報の供給を優先する設定を受け付ける請求項５または６記載の映像表示装置。
【請求項８】
映像信号及び音声信号を出力する出力装置と、映像信号及び音声信号を再生する再生装置と、少なくとも音声信号を再生する外部再生装置と、前記出力装置、前記再生装置及び前記外部再生装置を相互に接続する双方向インタフェースを少なくとも含む情報再生システムにおいて、
前記出力装置への前記外部再生装置の接続を、切換指示の入力の検出により検出し、
前記再生装置にて前記映像信号を再生し、
前記外部再生装置にて、前記音声信号を再生する情報再生方法。
【請求項９】
前記双方向インタフェースは、ＨＤＭＩ（ハイディフィニションデジタルメディアインタフェース）規格に準拠する請求項８記載の情報再生方法。
【請求項１０】
ソース機器から第一の双方向インタフェースを介して入力される音声信号を受信する受信手段と、
前記前記受信手段が受信した前記音声信号を、前記第一の双方向インタフェースを介して外部音声出力機器に出力する出力手段と、
前記ソース機器と前記外部音声出力機器との間の前記第一の双方向インタフェースと異なる第二の双方向インタフェースによる接続を、切換入力手段による切換指示入力の検出により検出する検出手段と、
前記検出手段が前記ソース機器と前記外部音声出力機器との間の前記第二の双方向インタフェースによる接続を検出した場合、前記第一の双方向インタフェースによる前記出力手段から前記外部音声出力機器への前記音声信号の出力を停止する制御手段と、
を具備する情報再生装置。
【手続補正２】
【補正対象書類名】明細書
【補正対象項目名】０００９
【補正方法】変更
【補正の内容】
【０００９】
実施形態によれば、情報再生装置は、受信手段と、出力手段と、検出手段と、制御手段と、を具備する。受信手段は、ソース機器から双方向インタフェースを介して入力される音声信号を受信する。出力手段は、前記受信手段が受信した前記音声信号を、双方向インタフェースを介して外部音声出力機器に出力する。検出手段は、前記ソース機器と前記外部音声出力機器との間の双方向インタフェースによる接続を、切換指示入力の検出により検出する。制御手段は、前記検出手段が前記ソース機器と前記外部音声出力機器との接続を検出した場合、前記出力手段から前記外部音声出力機器への前記音声信号の出力を停止する。
【手続補正３】
【補正対象書類名】明細書
【補正対象項目名】００２６
【補正方法】変更
【補正の内容】
【００２６】
これにより、上記コマンドを受信したＡＶアンプ装置３０１においても、パラメータの物理アドレスに応じて自らのＡＶセレクタを変化させる（図１の接続では、映像信号については、テレビ装置１０１と接続するＨＤＭＩケーブル１２及び対応するＨＤＭＩポートを選択し、オーディオ信号については、レコーダ装置２０１と接続するＨＤＭＩケーブル１３及び対応するポートを選択する）。しかしながら、現状のＣＥＣの規格では、テレビ装置１０１において、ＡＶアンプ装置３０１へオーディオ信号を入力する経路としては、ＡＲＣ（ＨＤＭＩケーブル１２）経由が選択されることになる。